(57)【要約】【課題】  【解決手段】  主に従来の磁気リードに優れた導電性金属製複数の軟質金属ワイヤまたは優れた導電材の導電層を加え、複数の軟質金属ワイヤを並列に磁気リードの両端に接続する新形大電流磁気リードパイプ。絶縁チューブのシェル（11）及び磁気リード（12、13）からなり、両端に磁気リード（12、13）が内蔵し、磁気リード（12、13）が中央で互いに重なり合って所定の隙間を残し、磁気リード（12、13）の重なり合う端面にコンタクト（121、131）があり、磁気リード（12、13）が2層構成のものであり、一層が優れた磁気的性質及び高強度の弾性のある軟磁性金属材料でなり、もう一層が優れた導電性のある材料で高い柔軟性の部材を構成し、部材の2層がリードの両端で高温で溶接され、一端の高温溶接個所がコンタクトと一体になる。コンタクトが酸化されないように、磁気リード（12、13）が絶縁チューブのシェル（11）両端面部（111）としっかり結合して密封され、絶縁チューブのシェル（11）内部の中空に密封構成が形成し、不活性ガスがあり、前記の磁気リードパイプが更に大きな電流を負荷できる。【選択図】図１
2017529675.tif 000002
【特許請求の範囲】
【請求項１】
絶縁チューブのシェル及び磁気リードを含み、前記の絶縁チューブのシェルが中空構成であり、両端に磁気リードが内蔵し、磁気リードが中央で互いに重なり合い、従来の磁気リードに優れた導電性金属製複数の軟質金属ワイヤまたは優れた導電材の導電層を加え、複数の軟質金属ワイヤを並列に磁気リードの両端に接続することを特徴とする新形大電流磁気リードスイッチ。
【請求項２】
絶縁チューブのシェル及び磁気リードを含み、前記の磁気リード中央の重なり合って向き合う箇所に電気コンタクトがあることを特徴とする請求項1に記載の新形大電流磁気リードスイッチ。
【請求項３】
絶縁チューブのシェル（11）及び可動接触片磁気リード（12、13）からなるノーマルオープン形（タイプA）を含み、絶縁チューブのシェル（11）が中空構成であり、両端に磁気リード（12、13）が内蔵し、磁気リード（12、13）が中央で互いに重なり合って所定の隙間を残し、前記の磁気リード（12、13）が2層構成のものであり、一層が優れた磁気的性質及び高強度の弾性のある軟磁性金属材料で磁気リード（12、13）の主体構成部材を構成し、もう一層が優れた導電性のある導電材からなる高い柔軟性の部材（122、132）であり、構成部材の2層がそれぞれ磁気リード（12、13）の両端で高温で溶接され、その一端の高温溶接個所がそれぞれコンタクト（121、131）と一体になることを特徴とする請求項1に記載の新形大電流磁気リードスイッチ。
【請求項４】
絶縁チューブのシェル（21）、静的接触片磁気リード（22）及び可動接触片磁気リード（23）からなるノーマルオープン形（タイプA）磁気リードスイッチを含み、前記の絶縁チューブのシェル（21）が中空構成であり、内部の両端に磁気リード（22、23）があり、磁気リード（22、23）が中央で互いに重なり合って所定の隙間を残し、前記の磁気リード（22）が優れた磁気的性質及び高強度の弾性のある軟磁性金属材料でなり、上部に優れた導電性材料のクラッディングがあり、磁気リード（23）が2層構成のものであり、一層が優れた磁気的性質及び高強度の弾性のある軟磁性金属材料で磁気リード（23）の主体構成部材を構成し、もう一層が優れた導電性のある導電材からなる高い柔軟性の部材（232）であり、構成部材の2層が磁気リード（23）の両端で高温で溶接され、その一端の高温溶接個所がコンタクト（231）と一体になることを特徴とする請求項1に記載の新形大電流磁気リードスイッチ。
【請求項５】
絶縁チューブのシェル（31）、静的接触片磁気リード（33、34、）及び可動接触片磁気リード（32）からなる転換形（タイプC）磁気リードスイッチを含み、前記の絶縁チューブのシェル（31）が中空構成であり、内部の両端に磁気リード（32、33、34）があり、磁気リード（32、33）が中央で互いに重なり合って所定の隙間を残し、前記の磁気リード（33）が優れた磁気的性質及び高強度の弾性のある軟磁性金属材料でなり、上部に優れた導電性材料のクラッディングがあり、磁気リード（33）が優れた磁気的性質及び高強度の弾性のある軟磁性金属材料でなり、上部に優れた導電性材料のクラッディングがあり、磁気リード（32）が可動接触片が2層構成のものであり、一層が優れた磁気的性質及び高強度の弾性のある軟磁性金属材料で磁気リード（32）の主体構成部材を構成し、もう一層が優れた導電性のある導電材からなる高い柔軟性の部材（322）であり、構成部材の2層が磁気リード（32）の両端で高温で溶接され、その一端の高温溶接個所がコンタクト（321）と一体になることを特徴とする請求項1に記載の新形大電流磁気リードスイッチ。
【請求項６】
絶縁チューブのシェル（41）及び可動接触片磁気リード（42、43、44）からなる転換形（タイプC）磁気リードスイッチを含み、前記の絶縁チューブのシェル（41）が中空構成であり、内部の両端に磁気リード（42、43、44）があり、磁気リード（42）と磁気リード（43、44）が中央で互いに重なり合って所定の隙間を残し、前記の磁気リード（42、44）が2層構成のものであり、一層が優れた磁気的性質及び高強度の弾性のある軟磁性金属材料で磁気リード（42、44）の主体構成部材を構成し、もう一層が優れた導電性のある導電材からなる高い柔軟性の部材（422、442）であり、構成部材の2層がそれぞれ磁気リード（422、442）の両端で高温で溶接され、その一端の高温溶接個所がそれぞれコンタクト（421、441）と一体になることを特徴とする請求項1に記載の新形大電流磁気リードスイッチ。
【請求項７】
絶縁チューブのシェル（31）、静的接触片磁気リード（33、34、）及び可動接触片磁気リード（32）からなる転換形（タイプC）磁気リードスイッチを含み、前記の磁気リード（34）が優れた導電性のある非軟質磁導電材からなることを特徴とする請求項5に記載の新形大電流磁気リードスイッチ。
【請求項８】
絶縁チューブのシェル（41）及び可動接触片磁気リード（42、43、44）からなる転換形（タイプC）磁気リードスイッチを含み、前記の磁気リード（43）が優れた導電性のある非軟質磁導電材からなることを特徴とする請求項6に記載の新形大電流磁気リードスイッチ。
【発明の詳細な説明】
【技術分野】
【０００１】
本発明は様々な電子製品用磁気リードスイッチ、即ち磁気リードパイプ、特に新形高性能大電流磁気リードスイッチ、即ち磁気リードパイプに関する。
【背景技術】
【０００２】
従来の磁気制御スイッチは機械的な磁気リードスイッチ、即ちリードスイッチ及び電子的なデジタルスイッチ、即ちホールスイッチを含む。
【０００３】
リードスイッチはWestern  Electric社が1940年に発明した気密形磁気制御機械的なスイッチであり、磁気近接スイッチまたはリレーとして利用でき、普通の機械的なスイッチより体積が小さく、速度が速く、耐用期間が長く、電子スイッチと比べて見ると、抗衝撃荷重力が強く、信頼性が高い。普通、リードスイッチは構成が2種あり、リードスイッチの内部が磁性材料製弾性磁気リードの1対からなり、磁気リードが不活性ガスの入れたガラスチューブに密封され、磁気リードの端面が重なり合うが、細い隙間がある。スイッチの安定な性及び長い耐用期間に達成するために、磁気リードの端面コンタクトに貴金属ロジウムまたはルテニウムにメッキされている。
【０００４】
磁場がない場合、ガラスチューブにあるリードの2枚が分かれているが、磁場がガラスチューブに近寄せる場合、ガラスチューブにあるリードの2枚が磁力線に磁化され、互いに吸引、接触し、ピンの2枚により接続された回路が通じる。外磁力がなくなると、リードの2枚が自身の弾性により分かれ、回路も遮断する。実際な応用で、永久磁石または電磁石により金属片の2枚のON/OFFを制御するので、「マグネトロン」も呼ばれる。
【０００５】
リードスイッチの特徴に基づき、リードスイッチの磁気リードの2枚は優れた磁気的性質も優れた導電性（即ちできる限り低い抵抗率）も必要であるが、優れた磁気的性質のある材料は導電性でも抵抗率でも高いので、リードスイッチ両端の抵抗が高く、発熱量が多く、リードスイッチの許容電流が制限される。従来のリードスイッチは負荷できる最大電流が一般的に5Aまでである。
【発明の概要】
【発明が解決しようとする課題】
【０００６】
本発明は構成が簡単であり、従来の製品より更に大きな電流を負荷できる新形大電流磁気リードスイッチ（磁気リードパイプ）を提供することを目的にする。
【課題を解決するための手段】
【０００７】
前記の目的に達成するために、本発明では絶縁チューブのシェル、磁気リードからなり、主に従来の磁気リードに優れた導電性のある複数の軟質金属ワイヤまたは優れた導電材のある導電層を加え、複数の軟質金属ワイヤを並列に磁気リードの両端に接続し、大幅に磁気リードパイプの抵抗を削減して大幅に磁気リードパイプの負荷電流を向上させる新形大電流磁気リードスイッチ（磁気リードパイプ）を提供する。
【０００８】
磁気リードパイプは絶縁チューブのシェル及び磁気リードからなる。前記の絶縁チューブのシェルが中空構成であり、両端に磁気リードが内蔵し、磁気リードが中央で互いに重なり合って所定の隙間を残し、磁気リードの重なり合う端面にコンタクトがあり、コンタクトに貴金属ロジウムまたはルテニウムなどがメッキされ、普通の場合、コンタクトとコンタクトの間に所定の隙間があり、遮断されていて、磁気リードが2層構成のものであり、一層が優れた磁気的性質及び高強度の弾性のある軟磁性金属材料で磁気リードの主体構成部材を構成し、もう一層が優れた導電性のある導電材からなる高い柔軟性の部材であり、構成部材の2層がリードの両端で高温で溶接され、その一端の高温溶接個所がコンタクトと一体になる。コンタクトが酸化されないように、磁気リードが絶縁チューブのシェル両端面部としっかり結合して密封され、絶縁チューブのシェルの内部に密封構成が形成し、不活性ガスがある。
【発明の効果】
【０００９】
本発明の磁気リードパイプの構成上の特徴により、磁気リードパイプに望ましい磁性がある上、導通抵抗がきわめて低いので、更に大きな負荷電流を提供でき、負荷電流が遥かに従来品を上回る。
【図面の簡単な説明】
【００１０】
【図１】本発明の実例1の構成図
【図２】本発明の実例2の原理図
【図３】本発明の実例3の原理図
【図４】本発明の実例4の原理図
【発明を実施するための形態】
【００１１】
普通、磁気リードパイプは構成によりノーマルオープン形タイプA及び転換スイッチ形タイプCに分けられる。
【実施例１】
【００１２】
図1に主に絶縁チューブのシェル（11）及び可動接触片磁気リード（12、13）からなる新形ノーマルオープン形（タイプA）大電流磁気リードパイプを示す。前記の絶縁チューブのシェル（11）が中空構成であり、両端に磁気リード（12、13）が内蔵し、磁気リード（12、13）が中央で互いに重なり合って所定の隙間を残し、磁気リード（12、13）の重なり合う端面の向き合う箇所に電気コンタクト（121、131）があり、コンタクト（121、131）に貴金属ロジウムまたはルテニウムなどがメッキされ、普通の場合にコンタクト（121）とコンタクト（131）の間に所定の隙間があり、遮断されていて、磁気リード（12、13）が2層構成のものであり、一層が優れた磁気的性質及び高強度の弾性のある軟磁性金属材料で磁気リード（12、13）の主体構成部材を構成し、もう一層が優れた導電性のある導電材からなる高い柔軟性の部材（122、132）であり、構成部材の2層がそれぞれ磁気リード（12、13）の両端で高温で溶接され、その一端の高温溶接個所がそれぞれコンタクト（121、131）と一体になり、コンタクト（121、131）が酸化されないように、磁気リード（12、13）が絶縁チューブのシェル（11）両端面部（111）としっかり結合して密封され、絶縁チューブのシェル（11）内部に密封構成が形成し、不活性ガスがある。
【実施例２】
【００１３】
図2に主に絶縁チューブのシェル（21）、静的接触片磁気リード（22）及び可動接触片磁気リード（23）からなる新形ノーマルオープン形（タイプA）大電流磁気リードパイプを示す。前記の絶縁チューブのシェル（21）が中空構成であり、内部の両端に磁気リード（22、23）があり、磁気リード（22、23）が中央で互いに重なり合って所定の隙間を残し、磁気リード（22、23）の重なり合う端面の向き合う箇所に電気コンタクト（221、231）があり、コンタクト（221、231）に貴金属ロジウムまたはルテニウムなどがメッキされ、普通の場合にコンタクト（221）とコンタクト（231）との間に所定の隙間があり、遮断されていて、磁気リード（22）が優れた磁気的性質及び高強度の弾性のある軟磁性金属材料でなり、上部に優れた導電性材料のクラッディングがあり、磁気リード（23）が2層構成のものであり、一層が優れた磁気的性質及び高強度の弾性のある軟磁性金属材料で磁気リード（23）の主体構成部材を構成し、もう一層が優れた導電性のある導電材からなる高い柔軟性の部材（232）であり、構成部材の2層が磁気リード（23）の両端で高温で溶接され、その一端の高温溶接個所がコンタクト（231）と一体になり、コンタクト（221、231）が酸化されないように、磁気リード（22、23）と絶縁チューブのシェル（21）両端面（211）がしっかり結合して密封され、絶縁チューブのシェル（21）内部に密封構成が形成し、不活性ガスがある。
【実施例３】
【００１４】
図3に主に絶縁チューブのシェル（31）、静的接触片磁気リード（33、34、）及び可動接触片磁気リード（32）からなる新形転換形（タイプC）大電流磁気リードパイプを示す。前記の絶縁チューブのシェル（31）が中空構成であり、内部の両端に磁気リード（32、33、34）があり、磁気リード（32、33）が中央で互いに重なり合って所定の隙間を残し、磁気リード（32、33）の重なり合う端面の向き合う箇所に電気コンタクト（321、331）があり、コンタクト（321、331、341）に貴金属ロジウムまたはルテニウムなどがメッキされ、普通の場合にコンタクト（331）とコンタクト（321）所定の隙間があり、遮断されていて、磁気リード（34）が磁気リード（33）の一端にあり、磁気リード（33）にミラーリングし、コンタクト（321、341）の向き合う端面が普通の場合に互いに接触していて導通している。磁気リード（34）が完全に優れた導電性のある非軟質磁導電材からなり、磁気リード（33）が優れた磁気的性質及び高強度の弾性のある軟磁性金属材料でなり、上部に優れた導電性材料のクラッディングがあり、磁気リード（32）が可動接触片が2層構成のものであり、一層が優れた磁気的性質及び高強度の弾性のある軟磁性金属材料で磁気リード（32）の主体構成部材を構成し、もう一層が優れた導電性のある導電材からなる高い柔軟性の部材（322）であり、構成部材の2層が磁気リード（32）の両端で高温で溶接され、その一端の高温溶接個所とコンタクト（321）と一体になり、コンタクト（321、331、341）が酸化されないように、磁気リード（32、33、34）と絶縁チューブのシェル（31）両端面部（311）がしっかり結合して密封され、絶縁チューブのシェル（31）内部に密封構成が形成し、不活性ガスがある。
【実施例４】
【００１５】
主に絶縁チューブのシェル（41）、可動接触片磁気リード（42、43、44）からなる新形転換形（タイプC）大電流磁気リードパイプ。前記の絶縁チューブのシェル（41）が中空構成であり、内部の両端に磁気リード（42、43、44）があり、磁気リード（42）と磁気リード（43、44）が中央で互いに重なり合って所定の隙間を残し、磁気リード（42、43）の重なり合う端面の向き合う箇所に電気コンタクト（421、431）があり、普通の場合に互いに接触していて導通していて、磁気リード（44）が磁気リード（43）の一端にあり、磁気リード（42）にミラーリングし、磁気リード（44）のコンタクト（421）に向き合う箇所にコンタクト（441）があり、磁気リード（42）の上コンタクト（421）と所定の隙間があり、コンタクト（421、431、441）に貴金属ロジウムまたはルテニウムなどがメッキされていて、磁気リード（43）が優れた導電性のある非軟質磁導電材からなる。磁気リード（42、44）が2層構成のものであり、一層が優れた磁気的性質及び高強度の弾性のある軟磁性金属材料でそれぞれ磁気リード（42、44）の主体構成部材を構成し、もう一層が優れた導電性のある導電材からなる高い柔軟性の部材（422、442）であり、コンタクト（421、431、441）が酸化されないように、構成部材の2層がそれぞれ磁気リード（42、44）の両端で高温で溶接され、その一端の高温溶接個所それぞれとコンタクト（421、441）と一体になり、磁気リード（42、43、44）と絶縁チューブのシェル（41）両端面部（411）がしっかり結合して密封され、絶縁チューブのシェル（41）内部に密封構成が形成し、不活性ガスがある。
【００１６】
上記は本発明による実例だけであり、本発明の技術及び範囲を制限するものではない。よって、本発明の技術実質により上記の実例に対するいかなる細部の調整、同等の変更または修飾のすべては本発明の技術方案の範囲にある。
【図１】
2017529675.tif 000003
【図２】
2017529675.tif 000004
【図３】
2017529675.tif 000005
【図４】
2017529675.tif 000006
【手続補正書】
【提出日】平成28年9月26日(2016.9.26)
【手続補正１】
【補正対象書類名】明細書
【補正対象項目名】全文
【補正方法】変更
【補正の内容】
【発明の詳細な説明】
【技術分野】
【０００１】  本発明は様々な電子製品用磁気リードスイッチ、即ち磁気リードパイプ、特に新形高性能大電流磁気リードスイッチ、即ち磁気リードパイプに関する。
【背景技術】
【０００２】  従来の磁気制御スイッチは機械的な磁気リードスイッチ、即ちリードスイッチ及び電子的なデジタルスイッチ、即ちホールスイッチを含む。【０００３】  リードスイッチはWestern  Electric社が1940 年に発明した気密形磁気制御機械的なスイッチであり、磁気近接スイッチまたはリレーとして利用でき、普通の機械的なスイッチより体積が小さく、速度が速く、耐用期間が長く、電子スイッチと比べて見ると、抗衝撃荷重力が強く、信頼性が高い。普通、リードスイッチは構成が2種あり、リードスイッチの内部が磁性材料製弾性磁気リードの1対からなり、磁気リードが不活性ガスの入れたガラスチューブに密封され、磁気リードの端面が重なり合うが、細い隙間がある。スイッチの安定な性及び長い耐用期間に達成するために、磁気リードの端面コンタクトに貴金属ロジウムまたはルテニウムにメッキされている。【０００４】  磁場がない場合、ガラスチューブにあるリードの2枚が分かれているが、磁場がガラスチューブに近寄せる場合、ガラスチューブにあるリードの2枚が磁力線に磁化され、互いに吸引、接触し、ピンの2枚により接続された回路が通じる。外磁力がなくなると、リードの2枚が自身の弾性により分かれ、回路も遮断する。実際な応用で、永久磁石または電磁石により金属片の2枚のON/OFFを制御するので、「マグネトロン」も呼ばれる。【０００５】  リードスイッチの特徴に基づき、リードスイッチの磁気リードの2枚は優れた磁気的性質も優れた導電性（即ちできる限り低い抵抗率）も必要であるが、優れた磁気的性質のある材料は導電性でも抵抗率でも高いので、リードスイッチ両端の抵抗が高く、発熱量が多く、リードスイッチの許容電流が制限される。従来のリードスイッチは負荷できる最大電流が一般的に5Aまでである。
【発明の概要】
【発明が解決しようとする課題】
【０００６】  本発明は構成が簡単であり、従来の製品より更に大きな電流を負荷できる新形大電流磁気リードスイッチ（磁気リードパイプ）を提供することを目的にする。
【課題を解決するための手段】
【０００７】  前記の目的に達成するために、本発明では絶縁チューブのシェル、磁気リードからなり、主に従来の磁気リードに優れた導電性のある複数の軟質金属ワイヤまたは優れた導電材のある導電層を加え、複数の軟質金属ワイヤを並列に磁気リードの両端に接続し、大幅に磁気リードパイプの抵抗を削減して大幅に磁気リードパイプの負荷電流を向上させる新形大電流磁気リードスイッチ（磁気リードパイプ）を提供する。【０００８】  磁気リードパイプは絶縁チューブのシェル及び磁気リードからなる。前記の絶縁チューブのシェルが中空構成であり、両端に磁気リードが内蔵し、磁気リードが中央で互いに重なり合って所定の隙間を残し、磁気リードの重なり合う端面にコンタクトがあり、コンタクトに貴金属ロジウムまたはルテニウムなどがメッキされ、普通の場合、コンタクトとコンタクトの間に所定の隙間があり、遮断されていて、磁気リードが優れた磁気的性質及び高強度の弾性のある軟磁性金属材料で磁気リードの主体構成部材を構成し、高い柔軟性の部材の両端と可動磁気リードコンタクトの両端が高温で溶接され、その一端の高温溶接個所が前記コンタクトと一体になる。コンタクトが酸化されないように、磁気リードが絶縁チューブのシェル両端面部としっかり結合して密封され、絶縁チューブのシェルの内部に密封構成が形成し、不活性ガスがある。
【発明の効果】
【０００９】  本発明の磁気リードパイプの構成上の特徴により、磁気リードパイプに望ましい磁性がある上、導通抵抗がきわめて低いので、更に大きな負荷電流を提供でき、負荷電流が遥かに従来品を上回る。
【図面の簡単な説明】
【００１０】
【図１】本発明の実例1の構成図
【図２】本発明の実例2の原理図
【図３】本発明の実例3の原理図
【図４】本発明の実例4の原理図
【発明を実施するための形態】
【００１１】  普通、磁気リードパイプは構成によりノーマルオープン形タイプA及び転換スイッチ形タイプCに分けられる。
【実施例１】
【００１２】  図1に主に絶縁チューブのシェル（11）及び可動接触片磁気リード（12、13）からなる新形ノーマルオープン形（タイプA）大電流磁気リードパイプを示す。前記の絶縁チューブのシェル（11）が中空構成であり、両端に可動接触片磁気リード（12、13）が内蔵し、可動接触片磁気リード（12、13）が中央で互いに重なり合って所定の隙間を残し、可動接触片磁気リード（12、13）の重なり合う端面の向き合う箇所に電気コンタクト（121、131）があり、コンタクト（121、131）に貴金属ロジウムまたはルテニウムなどがメッキされ、普通の場合にコンタクト（121）とコンタクト（131）の間に所定の隙間があり、遮断されていて、可動接触片磁気リード（12、13）が優れた磁気的性質及び高強度の弾性のある軟磁性金属材料で主体構成部材であり、優れた導電性のある導電材で構成される高い柔軟性の部材（122、132）がそれぞれ可動接触片磁気リード（12、13）の両端で高温で溶接され、その一端の高温溶接個所がそれぞれコンタクト（121、131）と一体になり、コンタクト（121、131）が酸化されないように、可動接触片磁気リード（12、13）が絶縁チューブのシェル（11）両端面部（111）としっかり結合して密封され、絶縁チューブのシェル（11）内部に密封構成が形成し、不活性ガスがある。
【実施例２】
【００１３】  図2に主に絶縁チューブのシェル（21）、静的接触片磁気リード（22）及び可動接触片磁気リード（23）からなる新形ノーマルオープン形（タイプA）大電流磁気リードパイプを示す。前記の絶縁チューブのシェル（21）が中空構成であり、内部の両端に静的接触片磁気リード22及び可動接触片磁気リード23があり、静的接触片磁気リード22及び可動接触片磁気リード23が中央で互いに重なり合って所定の隙間を残し、静的接触片磁気リード22及び可動接触片磁気リード23の重なり合う端面の向き合う箇所に電気コンタクト（221、231）があり、コンタクト（221、231）に貴金属ロジウムまたはルテニウムなどがメッキされ、普通の場合にコンタクト（221）とコンタクト（231）との間に所定の隙間があり、遮断されていて、静的接触片磁気リード（22）が優れた磁気的性質及び高強度の弾性のある軟磁性金属材料からでなり、上部に優れた導電性材料のクラッディングがあり、可動接触片磁気リード（23）が優れた磁気的性質及び高強度の弾性のある軟磁性金属材料で主体構成部材を構成し、高い柔軟性の部材（232）と可動接触片磁気リード（23）の両端で高温で溶接され、その一端の高温溶接個所がコンタクト（231）と一体になり、コンタクト（221、231）が酸化されないように、静的接触片磁気リード（22、23）及び可動接触片磁気リード23がと絶縁チューブのシェル（21）両端面（211）とがしっかり結合して密封され、絶縁チューブのシェル（21）内部に密封構成が形成し、不活性ガスがある。
【実施例３】
【００１４】  図3に主に絶縁チューブのシェル（31）、静的接触片磁気リード（34）及び可動接触片磁気リード（32）からなる新形転換形（タイプC）大電流磁気リードパイプを示す。前記の絶縁チューブのシェル（31）が中空構成であり、内部の両端に可動接触片磁気リード（32）、静的接触片磁気リード(33、34)があり、静的接触片磁気リード(33、34)と可動接触片磁気リード(32)が中央で互いに重なり合って所定の隙間を残し、可動接触片磁気リード(32)と静的接触片磁気リード(33)との重なり合う端面の向き合う箇所に電気コンタクト（321、331）があり、コンタクト（321、331、341）に貴金属ロジウムまたはルテニウムなどがメッキされ、普通の場合にコンタクト（331）とコンタクト（321）所定の隙間があり、遮断されていて、静的接触片磁気リード（34）が静的接触片磁気リード（33）の一端にあり、静的接触片磁気リード（33）にミラーリングし、コンタクト（321、341）の向き合う端面が普通の場合に互いに接触していて導通している。静的接触片磁気リード（34）が完全に優れた導電性のある非軟質磁導電材からなり、静的接触片磁気リード（33）が優れた磁気的性質及び高強度の弾性のある軟磁性金属材料でなり、上部に優れた導電性材料のクラッディングがあり、可動接触片磁気リード（32）が優れた磁気的性質及び高強度の弾性のある軟磁性金属材料で主体構成部材を構成し、高い柔軟性の部材（322）及び可動接触片磁気リード（32）が両端で高温で溶接され、その一端の高温溶接個所とコンタクト（321）と一体になり、コンタクト（321、331、341）が酸化されないように、可動接触片磁気リード（32）及び静的接触片磁気リード33、34が絶縁チューブのシェル（31）両端面部（311）としっかり結合して密封され、絶縁チューブのシェル（31）内部に密封構成が形成し、不活性ガスがある。
【実施例４】
【００１５】  主に絶縁チューブのシェル（41）、可動接触片磁気リード（42、43、44）からなる新形転換形（タイプC）大電流磁気リードパイプ。前記の絶縁チューブのシェル（41）が中空構成であり、内部の両端に磁気リード（42、43、44）があり、可動接触片磁気リード（42、43、44）が中央で互いに重なり合って所定の隙間を残し、可動接触片磁気リード（42、43）の重なり合う端面の向き合う箇所に電気コンタクト（421、431）があり、普通の場合に互いに接触していて導通していて、可動接触片磁気リード（44）が可動接触片磁気リード（43）の一端にあり、可動接触片磁気リード（42）にミラーリングし、可動接触片磁気リード（44）のコンタクト（421）に向き合う箇所にコンタクト（441）があり、可動接触片磁気リード（42）の上コンタクト（421）と所定の隙間があり、コンタクト（421、431、441）に貴金属ロジウムまたはルテニウムなどがメッキされていて、可動接触片磁気リード（43）が優れた導電性のある非軟質磁導電材からなる。可動接触片磁気リード（42、44）が優れた磁気的性質及び高強度の弾性のある軟磁性金属材料で主体構成部材を構成し、コンタクト（421、431、441）が酸化されないように、高い柔軟性の部材（422、442）がそれぞれ可動接触片磁気リード（42、44）の両端で高温で溶接され、その一端の高温溶接個所それぞれとコンタクト（421、441）と一体になり、可動接触片磁気リード（42、43、44）と絶縁チューブのシェル（41）両端面部（411）がしっかり結合して密封され、絶縁チューブのシェル（41）内部に密封構成が形成し、不活性ガスがある。   上記は本発明による実例だけであり、本発明の技術及び範囲を制限するものではない。よって、本発明の技術実質により上記の実例に対するいかなる細部の調整、同等の変更または修飾のすべては本発明の技術方案の範囲にある。
【手続補正２】
【補正対象書類名】特許請求の範囲
【補正対象項目名】全文
【補正方法】変更
【補正の内容】
【特許請求の範囲】
【請求項１】
絶縁チューブのシェル及び磁気リードを含み、前記の絶縁チューブのシェルが中空構成であり、両端に磁気リードが内蔵し、磁気リードが中央で互いに重なり合い、従来の磁気リードに優れた導電性のある導電材からなる高い柔軟性部材（122、132）を加え、高い柔軟性部材を並列に磁気リードの両端に接続することを特徴とする新形大電流磁気リードスイッチ。
【請求項２】
前記の磁気リード中央の重なり合って向き合う箇所に電気コンタクトがあることを特徴とする請求項1に記載の新形大電流磁気リードスイッチ。
【請求項３】
前記の磁気リードの中央で所定の隙間を残し、磁気リードが可動接触片磁気リード（12、13）であり、ノーマルオープン形（タイプA）を構成し、可動接触片磁気リード（12、13）が優れた磁気的性質及び高強度の弾性のある軟磁性金属材料で主体構成部材を構成し、前記導電性のある高い柔軟性の部材（122、132）の両端がそれぞれ可動接触片磁気リード（12、13）の両端で高温で溶接され、その一端の高温溶接個所がそれぞれコンタクト（121、131）と一体になることを特徴とする請求項2に記載の新形大電流磁気リードスイッチ。
【請求項４】
前記の磁気リードが絶縁チューブのシェル（21）、静的接触片磁気リード（22）及び可動接触片磁気リード（23）からなるノーマルオープン形（タイプA）磁気リードスイッチを含み、静的接触片磁気リード（22）及び可動接触片磁気リード（23）が中央で互いに重なり合って所定の隙間を残し、静的接触片磁気リード（22）が優れた磁気的性質及び高強度の弾性のある軟磁性金属材料でなり、上部に優れた導電性材料のクラッディングがあり、可動接触片磁気リード（23）が優れた磁気的性質及び高強度の弾性のある軟磁性金属材料で主体構成部材を構成し、前記の高い柔軟性の部材（232）の両端と可動接触片磁気リード（23）の両端で高温で溶接され、その一端の高温溶接個所がコンタクト（231）と一体になることを特徴とする請求項2に記載の新形大電流磁気リードスイッチ。
【請求項５】
前記の磁気リードが静的接触片磁気リード（33、34、）及びその間にある可動接触片磁気リード（32）からなる転換形（タイプC）磁気リードスイッチを含み、前記の可動接触片磁気リード（32）と静的接触片磁気リード（33）との中央で互いに重なり合う箇所に所定の隙間を残し、静的接触片磁気リード（33、34）が優れた磁気的性質及び高強度の弾性のある軟磁性金属材料で主体構成部材を構成し、上部に優れた導電性材料のクラッディングがあり、可動接触片磁気リード（32）が優れた磁気的性質及び高強度の弾性のある軟磁性金属材料を含み、前記の高い柔軟性の部材（322）及び可動接触片磁気リード（32）の両端が高温で溶接され、その一端の高温溶接個所がコンタクト（321）と一体になることを特徴とする請求項1２に記載の新形大電流磁気リードスイッチ。
【請求項６】
前記の磁気リードが可動接触片磁気リード（42、43、44）からなる転換形（タイプC）磁気リードスイッチを含み、可動接触片磁気リード（42）が可動接触片磁気リード（42、44）の中央にあり、三者が互いに重なり合い、中央にある可動接触片磁気リード（42）が可動接触片磁気リード（44）との間に隙間があり、主体構成部材を構成し、もう一層が優れた導電性のある導電材からなる高い柔軟性の部材（422、442）であり、可動接触片磁気リード（42、44）が優れた磁気的性質及び高強度の弾性のある軟磁性金属材料で主体構成部材を構成し、前記の高い柔軟性の部材（422、442）が可動接触片磁気リード（42、44）の両端で高温で溶接され、その一端の高温溶接個所がそれぞれコンタクト（421、441）と一体になることを特徴とする請求項2に記載の新形大電流磁気リードスイッチ。
【請求項７】
前記の静的接触片磁気リード（34）が優れた磁気的性質の非軟質磁導電材からなることを特徴とする請求項5に記載の新形大電流磁気リードスイッチ。
【請求項８】
前記の中央にある可動接触片磁気リード（42）との間に隙間がある可動接触片磁気リード（44）と向き合う可動接触片磁気リード（43）が優れた導電性のある非軟質磁導電材からなることを特徴とする請求項6に記載の新形大電流磁気リードスイッチ。
【請求項９】
前記の高い柔軟性の導電材が優れた導電性のある複数の金属製軟質金属ワイヤであることを特徴とする請求項１〜8に記載の新形大電流磁気リードスイッチ。
【国際調査報告】
2017529675.tif 000007
2017529675.tif 000008
2017529675.tif 000009
2017529675.tif 000010